(57)【特許請求の範囲】
【請求項１】
被検者が座る椅子又は被検眼を検査・測定する眼科装置を載置するテーブルの少なくとも一方に設けられ，眼科装置と被検眼との位置関係を相対的に調整する位置調整部と、を備え、眼科装置と被検眼とを適切な状態に位置調整する必要がある眼科装置システムにおいて、前記位置調整部を上下動する駆動手段と、被検者の身長情報を入力する入力手段と、統計的手法により得られた身長に対する椅子の高さから被検眼までの高さデータを用いて、測定のために座った被検者の被検眼の高さに対して前記眼科装置の測定窓の高さがほぼ同じ高さとなるように、入力された前記被検者の身長情報に基づいて前記駆動手段の駆動を制御する制御手段と、を備えることを特徴とする眼科装置システム。
【発明の詳細な説明】
【０００１】
【発明の属する技術分野】
本発明は、被検眼と眼科装置との位置調整を行う位置調整装置及びこれを備える眼科装置システムに関する。
【０００２】
【従来技術】
他覚式眼屈折力測定装置や、自覚式の検眼装置等の被検眼を検査・測定する眼科装置を使用するにあたって、それら装置と被検眼の位置関係を適切な状態にすることが必要である。例えば、テーブル等に載せて使用する省スペース型の視力表表示器等では、呈示される視標が被検者に見易い位置になるように被検者の椅子の高さを調整したり、表示器を載置するテーブルの高さを調整したりする。また、眼屈折力測定装置等では椅子、テーブルや顎載せ台等を上下動させ被検者（被検眼）と測定部との位置を粗調整した後、さらに測定部を上下動させて微調整を行っている。このように眼科装置を含め椅子やテーブル等の眼科装置システム全体の位置調整が必要となる。
【０００３】
【発明が解決しようとする課題】
しかしながら、背の高い（背の低い）被検者に合せてテーブル等を調整した後、反対に背の低い（背の高い）被検者を調整する場合には各機器の上下位置を見直す必要があり、調整に時間が掛かってしまう。また、眼科装置の測定部を上下動させ、被検眼と測定部との位置合わせを行う際に測定部の上下調整範囲内では位置調整ができなかった場合、一旦測定部を上下動できる位置まで戻した後、もう一度顎載せ台、テーブル等を調整し直してから再び測定部を上下動させて微調整を行うこととなる。これは時間が掛かり大変煩わしい。
【０００４】
本発明は、上記従来技術の欠点に鑑み、眼科装置と被検眼との位置調整を短時間で行え、検者の負担を軽減することができる位置調整装置を提供することを技術課題とする。
【０００５】
【課題を解決するための手段】
上記課題を解決するために、本発明は以下のような構成を備えることを特徴とする。
【０００６】
（１）  被検者が座る椅子又は被検眼を検査・測定する眼科装置を載置するテーブルの少なくとも一方に設けられ，眼科装置と被検眼との位置関係を相対的に調整する位置調整部と、を備え、眼科装置と被検眼とを適切な状態に位置調整する必要がある眼科装置システムにおいて、前記位置調整部を上下動する駆動手段と、被検者の身長情報を入力する入力手段と、統計的手法により得られた身長に対する椅子の高さから被検眼までの高さデータを用いて、測定のために座った被検者の被検眼の高さに対して前記眼科装置の測定窓の高さがほぼ同じ高さとなるように、入力された前記被検者の身長情報に基づいて前記駆動手段の駆動を制御する制御手段と、を備えることを特徴とする。
【００１５】
【発明の実施の形態】
本発明の実施の形態を図面に基づいて説明する。
【００１６】
＜実施形態１＞
図１は眼科装置の一つである、他覚式眼屈折力測定装置の外観該略図を示している。
【００１７】
１は基台であり、基台１には被検者の顔を固定するためのヘッドレスト部１０が固設されている。基台１の上には摺動部３が水平面（ＸＺ面）に対して移動可能に取り付けられている。摺動部３はジョイスティック５の操作により基台１の水平面上をＺ方向（前後方向）およびＸ方向（左右方向）に摺動する。
【００１８】
摺動部３の上部には被検眼を測定するための光学系を内蔵する測定部４が載せられ、測定部４に備わっている測定窓４ａを被検眼に合せることで測定を行う。ジョイスティック５に設けられた回転ノブ５ａの操作により、摺動部３内に設置された図示無き上下移動機構部にて測定部４が摺動部３に対してＹ方向（上下方向）に移動する。
【００１９】
ヘッドレスト部１０は被検者の顔を保持するための額当て１１と顎載せ台１２を備える。顎載せ台１２は上下動スイッチ６を使用することにより後述する上下動機構にて上下に移動可能となっている。１４はアイレベル確認ラインであり、測定時における被検眼の高さの目安とするものである。
【００２０】
図２は被検者側から見たときの顎載せ台１２の上下移動機構を示す概略断面図である。支柱２３は顎載せ台１２に固定されており、その内部には送りネジ部２１が挿通されている。ネジ部２１の下部にはギア部２２が設けられており、ギア部２２はモーター２０側のギアと噛み合っている。また、支柱２３には溝２４があり、この溝２４と回転止め用のビス２５により支柱２３が回転するのを防止している。
【００２１】
このような構成により、モーター２０が回転すると、送りネジ部２１が回転運動を始め、送りネジ部２１に螺合している支柱２３はこの回転運動により、上下方向へ送り出されるため、顎載せ台１２が上下方向に無段階的に移動することが可能となる。また、モーター２０にはエンコーダー２６が取り付けられており、制御部３０はエンコーダー２６により顎載せ台１２の高さを検知することができる。１３はスイッチであり、被検者の顎が顎載せ台１２に載せられるとスイッチ１３がＯＮになるようになっている。このスイッチ１３のＯＮ／ＯＦＦにより、被検者の顎が顎載せ台１２に載せられているかの判別をすることが可能である。
【００２２】
以上のような構成を備える眼科装置において、その動作を図３のフローチャート、図４の制御図を用いて説明する。
【００２３】
検者は本体３の図示無き電源を入れて、検眼準備を行う。電源が導入されたとき顎載せ台１２が予め設定された位置（以後、初期位置とする）に無かった場合制御部３０はモーター２０を駆動させて顎載せ台１２の高さを初期位置に合せる。この初期位置は顎載せ台１２が移動できる上下の略中間位置とし、上下方向のどちらへも調整ができる位置とする。
【００２４】
次に、検者は被検者に顎載せ台１２に顎を載せるよう指示し、検者は上下動スイッチ６にて顎載せ台１２を駆動させ被検者の眼（被検眼）とアイレベル確認ライン１４とが同じ高さになるように調整する。また、被検者が顎載せ台１２へ顎を載せるとスイッチ１３がＯＮとなり、制御部３０は顎載せ台１２に顎が載せられていることを検知する。
【００２５】
被検眼とアイレベル確認ライン１４とが同じ高さになったら、検者はジョイスティック５を使用して図示無きモニタにて被検眼と測定部４とを合わせ、測定を行う。測定が終了したら被検者はヘッドレスト部１０から顔を離す。ヘッドレスト部から被検者の顔が離れると顎載せ台１２から顎も離れるため、スイッチ１３がＯＦＦとなる。制御部３０はスイッチ１３がＯＦＦとなったことを検知すると、モーター２０を駆動させ顎載せ台１２を初期位置まで自動的に移動させる。
【００２６】
従来の場合、測定が終了しても顎載せ台の位置はそのままであったため、次の被検者が使用するとき、場合によっては顎載せ台１２の調整量（移動量）が非常に多くなることがあった。しかしながら、このように次の被検者の顎を載せる際には顎載せ台１２は常に初期位置にあるため、顎載せ台１２の調整量は平均すれば少なくてすむ。
【００２７】
また、本実施の形態では顎載せ台１２にスイッチ１３を設け、このスイッチ１３のＯＮ／ＯＦＦにより初期化動作を行うか否かの判断を行うものとしたが、これに限るものではなく例えば、測定終了後において測定結果の印刷を行った後にこのような初期化動作を行うことも考えられる。測定終了直後はヘッドレスト部１０に顔が保持されている状態なので、急に顎載せ台の位置を初期位置に戻すことは好ましくなく、ヘッドレスト部１０から顔が離れたことを検知させるか、測定終了後にある程度の時間をおいた後に初期化動作を行うのが好ましい。
【００２８】
また、このような調整は他覚式眼屈折力測定装置のみに限らず、その他の顎載せ台を備える眼科装置にも適用できる。さらに、顎載せ台を備える眼科装置に限らず、これらの眼科装置を載置するテーブルや被検者が座るための椅子等も適用ができ、テーブル、椅子等を使用した後、予め設定しておいた初期位置に戻るように制御させることで、次の被検者に要する位置調整量（時間）がさらに少なくてすむ。
【００２９】
この場合、被検者が検眼状態から離れたことを検知すればよいため、例えば図８に示すように電動で上下動する椅子７０に、被検者が座っているか否かを検知するための荷重センサ７１と、荷重センサ７１からの信号をテーブル本体４０へ送信するための送信ケーブル７２を取り付けておけば、被検者が立ち上がることで椅子７０、テーブル本体４０の両方とも被検者が検眼状態から離れたことが確認でき、初期位置に戻るための駆動制御が各々可能となる。またこれに限らず、テーブル本体４０、椅子７０や眼科装置１００に反射光検知型のフォトセンサ等を取り付けても同様の効果が得られる。
【００３０】
＜実施形態２＞
実施形態１では、測定終了後に初期位置に戻すことにより、次の被検者に対する位置調整時間が従来に比べ平均して少なくなるが、実施形態２では各被検者毎における位置調整時間を少なくするようにしたものである。
【００３１】
図５（ａ）は眼科装置を載置するためのテーブルを示す外観図、図７は制御系を示すブロック図である。
【００３２】
４０はテーブル本体であり、基台部４２と可動部４３からなる。可動部４３の上部には天板４４が取り付けられ眼科装置１００が載置できるようになっている。また、可動部４３内部には制御部６０と上下移動機構６１が内蔵されており、入力部４１を使用することにより制御部６０が上下移動機構６１を駆動させ、選択した高さに天板４４を合せる。
【００３３】
図５（ｂ）は入力部４１の詳細を示したものである。スイッチ群５０は被検者の身長に応じてテーブルの高さを調整するためのスイッチであり、１５０ｃｍ未満、１５０ｃｍ台、１６０ｃｍ台、１７０台、１８０ｃｍ以上の５段階から選択できるようになっている。スイッチ群５０によって所定の高さに設定された後、さらにテーブルの高さを調整する必要があるときは、上下動スイッチ５１を使用する。上下動スイッチ５１を使用している間は、制御部６０が上下移動機構６１を駆動させるため可動部４３が無段階的に上下動し、高さの微調整が可能となる。５２は電源スイッチである。
【００３４】
次にスイッチ群５０を使用する際の身長毎によるテーブルの高さを決定する方法を以下に説明する。
【００３５】
図６はテーブル本体４０の高さと被検者の高さとの位置関係を示した図であり、被検者が楽に座った状態にて眼科装置１００の測定窓１００ａが被検眼の高さに来るようにテーブル本体４０、眼科装置１００の位置を調整した状態である。ここで椅子４５の高さをｔ1とし、椅子４５から被検眼までの高さをｔ2とする。一方、テーブル本体４０側は床から天板４４までの高さをＴ1とし、天板４４から測定窓１００ａまでの高さをＴ2とする。
【００３６】
被検眼と測定部１００ａとの高さが同じになるようにするためにはＴ1＋Ｔ2＝ｔ1＋ｔ2となればよい。したがってテーブル本体４０の高さ（床から天板４４までの高さ）はＴ1＝ｔ1＋ｔ2−Ｔ2となることが判る。仮に椅子４５の高さｔ1が４０ｃｍ程度で、眼科装置１００の測定窓１００ａ周辺までの高さＴ2も４０ｃｍ程度であるとすると、テーブル本体４０の高さＴ1は被検眼の高さｔ2に合せればよいこととなる。椅子４５から被検眼までの高さｔ2は一般に求められている統計的データに基づいて決定すればよい。また、椅子４５、眼科装置の測定窓１００ａまでの高さが４０ｃｍでなくとも、上記の式を用いることで身長毎に対するテーブルの高さＴ1を簡単に求めることができる。
【００３７】
また、１５０ｃｍ未満や１８０ｃｍ以上のスイッチが使用された場合には天板４４までの高さをそれぞれ下限、上限にするように制御する。
【００３８】
以上のような構成を備える装置において、その動作について説明する。
【００３９】
検者は、眼科装置１００にて被検者を測定する前に被検者のおよその身長をスイッチ群５０より選択する。スイッチ群５０の何れかが選択されると、制御部６０は上下移動機構６１を駆動し、可動部４３を上下動させて所定の高さに位置させる。
【００４０】
スイッチ群５０にてテーブル本体４０の高さが決定したら、被検者を座らせ眼科装置１００に取り付けられている顎載せ台１０１に顔を固定保持させる。このとき既に被検眼の高さに対して眼科装置の測定窓１００ａの高さがほぼ同じ高さになるようにテーブル本体４０の高さがセットされているため、被検者は楽な姿勢にて顎載せ台１０１に顎を載せておくことができる。検者は被検眼と測定窓１００ａとの若干のずれを顎載せ台１０１や眼科装置１００の測定部を上下させることで修正し測定を行う。
【００４１】
このように、テーブル本体４０上に載置された眼科装置１００の高さ（天板から測定部までの高さ）と被検者の身長との相関性を考慮してテーブル本体４０の高さを決定することで、その後は時間もかけること無く若干の位置調整のみですむ。本実施の形態ではスイッチ群５０のように予めいくつかの選択スイッチを備えたが、これに限らず、選択スイッチではなく実際の身長を入力してテーブル本体４０の高さを決定させる方法も考えられる。
【００４２】
また、他覚的に測定を行う眼科装置ではなく図９に示すように、テーブル本体４０に自覚式用のレフラクター１１０を取り付けて使用する場合においては、天板からレフラクター１１０までの高さをＴ2としておくことで、前述した式よりテーブルの高さＴ1を決定することができ、このように自覚的な検眼においても調整時間をかけることがない。
【００４３】
さらに、実施形態２ではテーブルのみを駆動させるものとしているが、相対的に被検眼と眼科装置１００の高さが変更できればよいため、例えば被検者の座る椅子４５を電動のものとし、テーブル本体４０の位置調整に対してさらに椅子４５でも同じように高さ調節を行えば小さな子供等、極端に背の高さが異なる被検者にも適切な高さ調整がすばやく行える。また、テーブル本体４０ではなく椅子４５のみを上下に駆動させることも考えられる。この場合は椅子４５側に入力部４１の機能を有した手段を取り付けてもよいし、テーブル本体４０側にて椅子４５のみを駆動させてもよい。
【００４４】
さらにまた、テーブル本体４０から眼科装置１００へデータを送信するための接続ケーブルを用意し、テーブル本体４０にて選択（入力）した高さ情報を眼科装置１００側に与えることで眼科装置１００側も受信した高さ情報に基づいて顎載せ台１０１を予め移動させることができ、さらに短時間に最適な位置調整が可能となる。
【００４５】
例えば、テーブル本体４０側にてテーブルの高さを下限にする信号を眼科装置１００側が受信した場合、自動的に顎載せ台１０１の高さを上方の位置まで上げておくことで、小さな子供など顔が小さく、背の低い被検者の場合であっても、いちいちテーブル本体４０の高さを低い状態にして、さらに眼科装置１００側の顎載せ台１０１を顔に合せる必要が少なくなる。また、非常に背の高い被検者の場合にはこの反対の動作（テーブルを上限にし、顎載せ台を低くする）にすればよい。
【００４６】
さらにまた、本実施の形態では椅子４５から被検眼までの高さｔ2は一般に求められている統計的データに基づいて決定され、さらにこれを基にテーブルの高さを決定するとしたが、これに限るものではなく、例えばスイッチ群５０にて入力した身長と、最終的に微調整され決定した各高さを統計処理しておき、それをフィードバックして次からの位置調整用の補正データにすることで、さらに正確な位置調整をすることも可能である。
【００４７】
【発明の効果】
以上説明したように、本発明によれば、被検眼を検眼する際の眼科装置と被検眼との位置調整を短時間に行えるため、検者の負担を減らすことができ、検査時間を減らすことができる。
【図面の簡単な説明】
【図１】他覚式眼屈折力測定装置の外観を示す図である。
【図２】顎載せ台の上下移動機構を示す概略断面図である。
【図３】動作の流れを示すフローチャートである。
【図４】制御系を示すブロック図である。
【図５】テーブルの外観を示す図である。
【図６】テーブルの高さを決定する方法を示す図である。
【図７】制御系を示すブロック図である。
【図８】実施形態１の変容例を示す眼科装置システムの概略外観図である。
【図９】テーブルにレフラクターを載置した状態を示す図である。
【符号の説明】
１  基台
３  本体部
４  測定部
４ａ  測定窓
５  ジョイスティック
５ａ  回転ノブ
６  上下動スイッチ
１０  ヘッドレスト部
１２  顎載せ台
１３  スイッチ
１００  眼科装置
【図１】
0003921313.tif 000002
【図２】
0003921313.tif 000003
【図３】
0003921313.tif 000004
【図４】
0003921313.tif 000005
【図５】
0003921313.tif 000006
【図６】
0003921313.tif 000007
【図７】
0003921313.tif 000008
【図８】
0003921313.tif 000009
【図９】
0003921313.tif 000010